(57)【要約】【課題】広範囲かつ高解像度のＯＣＴ画像を取得する。【解決手段】ＯＣＴ撮像システムによるスキャンキャプチャ中に、焦点面位置が同時に画像範囲の少なくとも一部にわたって移動される。その結果、様々な焦点面位置にそれぞれ対応する複数の画像フレームが取得される。弱強度または低反射率の特徴部位に関連する領域を含む画像範囲にわたり好適な解像度を有する合成画像を生成するために、これら画像フレームが組み合わされる。さらに、焦点が合っている画像データに与えられた重みを合成画像が組み入れるように、合成画像の生成前に窓平均化を実行することができる。【選択図】図１
2015016290.tif 000002
【特許請求の範囲】
【請求項１】
複数の焦点面位置にそれぞれ関連する複数のスキャンキャプチャを含む、対象のＯＣＴスキャンデータを取得するための光学的サブシステムと、
前記ＯＣＴスキャンデータを複数のＯＣＴ画像に変換し、前記複数の焦点面位置に基づいて前記複数のＯＣＴ画像に関して窓平均を実行し、かつ、前記窓平均に基づく合成画像を出力するための画像プロセッサと
を有するＯＣＴ撮像システム。
【請求項２】
前記光学的サブシステムは、それぞれ異なる焦点深度を有する複数の光ビームを前記対象に伝送し、
前記異なる焦点深度は、前記複数の焦点面位置に対応する
ことを特徴とする請求項１に記載のＯＣＴ撮像システム。
【請求項３】
前記光学的サブシステムは、さらに、スキャンビームを光源から前記対象に伝送するための対物レンズを有し、
前記対象に関する焦点面位置を前記複数の焦点面位置に調整できるように、前記対物レンズを構成することが可能である
ことを特徴とする請求項２に記載のＯＣＴ撮像システム。
【請求項４】
前記光学的サブシステムは、前記対象をスキャンするために前記光学的サブシステムを調整するための前記対象の予備画像を生成するよう構成され、
前記画像プロセッサは、前記対象の前記予備画像に関連する画像範囲内のアンカー点を検出するよう適合されており、
前記画像プロセッサを含む制御装置は、前記画像範囲内の前記アンカー点の位置が既定の位置であるように参照ミラーを調整するよう適合されている
ことを特徴とする請求項３に記載のＯＣＴ撮像システム。
【請求項５】
前記対象は眼であり、
前記アンカー点は、前記眼の網膜、強膜、脈絡膜、角膜または水晶体の１つである
ことを特徴とする請求項４に記載のＯＣＴ撮像システム。
【請求項６】
前記ＯＣＴスキャンデータを取得する前に、前記焦点面位置が画像範囲内の既定の位置になるように前記対物レンズが構成される
ことを特徴とする請求項３〜５のいずれか一項に記載のＯＣＴ撮像システム。
【請求項７】
前記光学的サブシステムが複数のスキャンキャプチャを実行するよう構成されると同時に、前記対物レンズが前記画像範囲内の複数の位置を通過する焦点面位置をシフトするよう構成される
ことを特徴とする請求項３〜６のいずれか一項に記載のＯＣＴ撮像システム。
【請求項８】
前記窓平均を生成するために、前記画像プロセッサを含む制御装置は、前記ＯＣＴ撮像それぞれに関連する焦点面位置それぞれに基づいて、前記複数のＯＣＴ撮像それぞれのピクセル強度それぞれに重み付けする
ことを特徴とする請求項１〜７のいずれか一項に記載のＯＣＴ撮像システム。
【請求項９】
前記複数の焦点面位置からの距離に少なくとも部分的に基づいてピクセル強度が重み付けされる
ことを特徴とする請求項８に記載のＯＣＴ撮像システム。
【請求項１０】
ＯＣＴスキャンデータから対象の合成画像を生成するための方法であって、
ＯＣＴ撮像システムにより、複数の焦点面位置にそれぞれ関連する複数の画像フレームを取得し、
焦点面位置それぞれに基づき前記複数の画像フレームを重み付けする窓平均を前記複数の画像フレームに対して実行し、
前記窓平均の結果から合成画像を生成する
方法。
【請求項１１】
窓平均の実行は、
焦点面位置にそれぞれ関連する前記複数の画像フレームのうちの画像フレームについて、
焦点面位置に基づき生成された重み付け画像を用いて前記画像フレームに重み付けすることと、
前記重み付け画像により重み付けされた前記画像フレームと、同様に重み付けされた他の画像フレームとを加算することと
を含む
ことを特徴とする請求項１０に記載の方法。
【請求項１２】
さらに、変換パラメータを生成するために前記画像フレームをテンプレートフレームに登録する
ことを特徴とする請求項１１に記載の方法。
【請求項１３】
さらに、前記画像フレームの重み付けの前に、前記変換パラメータを用いて前記重み付画像および前記画像フレームを変換する
ことを特徴とする請求項１２に記載の方法。
【請求項１４】
さらに、前記重み付け画像と、他の焦点面位置に関連する他の重み付け画像とを加算する
ことを特徴とする請求項１１に記載の方法。
【請求項１５】
前記合成画像の生成は、加算され重み付けされた画像フレームと加算された重み付け画像との間の商を演算することを含む
ことを特徴とする１１〜１４のいずれか一項に記載の方法。
【発明の詳細な説明】
【技術分野】
【０００１】
本出願は、一般に、光コヒーレンストモグラフィ（ＯＣＴ）撮像方法および装置に関し、より具体的には、ダイナミックフォーカスおよび／または窓平均化を用いた光コヒーレンストモグラフィ撮像方法および装置に関する。
【背景技術】
【０００２】
ＯＣＴは、マイクロメートルレベルの解像度で物体の表面下画像を取得することが可能な撮像技術である。眼科応用において、ＯＣＴは、後眼部領域（たとえば網膜）および／または前眼部領域（たとえば角膜、水晶体等）を含む、眼の部分の断面像を生成するために利用される。臨床的応用では伝統的に後眼部に焦点が合わせられてきた一方で、硝子体、脈絡膜、強膜、水晶体および本質的には眼の全ての部分のＯＣＴ撮像への関心が高まってきている。たとえば、硝子体、特に硝子体の状態は、網膜剥離、黄斑円孔および糖尿病網膜症などの様々な盲目状態の一因となりうる。しかし、硝子体、水晶体並びに（しばしば）脈絡膜および／または強膜のＯＣＴ信号強度は弱い（すなわち背景ノイズレベルに近い）。
【発明の概要】
【発明が解決しようとする課題】
【０００３】
臨床現場において一般に用いられるＯＣＴ装置はスペクトラルドメイン技術を利用しているので、深さに伴う感度のロールオフが高い。したがって、硝子体のより広範囲の撮像は難しい。深さに伴う感度のロールオフが低いスウェプトソースＯＣＴの出現により、硝子体の撮像は、潜在的により容易になった。しかし、照明ビームは、光がどのように合焦されるかの物理学により制約される。たとえば、開口数が大きいシステムは光を比較的小さなスポットに合焦するが、光ビームのための円錐角が大きくなってしまう。円錐角が大きいことは逆に、光ビームが許容できる径になる（すなわち光ビームが好適な解像度を提供する）範囲を狭める。開口数が小さいシステムでは、ビームが狭い領域がより長くなるが、合焦される光ビームの最小径が比較的大きくなる。そのため、開口数が小さいシステムは、典型的には、開口数が大きいシステムよりも横断的分解能または横分解能が低下する。
【０００４】
さらに、光ビームの大きさは他の影響を及ぼす。たとえば、硝子体内において、反射構造は、コラーゲン線維および個々の細胞（各々が非常に小さい）を含む。照明ビームをより大きくすることは、さらに小さいこれら反射構造からの反射をもたらすが、同様のビームは、潜在的に非反射的な周囲の領域も照明する。その結果として、ＯＣＴ装置に反射して戻ってくる光の総量は、眼に入射した光の小さな割合となる。診断装置において使用される光の総量は、安全性限界を維持する必要により厳格に制限され、したがって、照明システムの非効率を補うためにそれを増加させることはできない。
【課題を解決するための手段】
【０００５】
ここに、より詳細な記述および付随的な図面において以下に続く典型的、非限定的な実施形態の様々な態様に関する基本的または一般的な理解を可能とする補助のために、簡略化された概要を提供する。しかしながら、この概要は、広範なまたは網羅的な要旨として意図されたものではない。代わりに、この概要の１つの目的は、いくつかの典型的、非限定的な実施形態に関するいくつかの概念を、簡略化したかたちで、以下に続く様々な実施径チアのより詳細な記述の導入として提示するものである。
【０００６】
様々な典型的、非限定的な実施形態において、硝子体、水晶体、脈絡膜、強膜、角膜などを含む低反射率構造の撮像を最適化するために、ＯＣＴスキャン中にダイナミックフォーカススイープが利用される。ダイナミックフォーカススイープにより焦点面が調整される。焦点面への調整は、連続的でも離散的でもよい。ダイナミックフォーカスを用いるＯＣＴスキャンは、焦点面位置の集合のうちの焦点面位置にそれぞれ対応する複数の画像フレームを生成する。複数の画像フレームのうちの画像フレームは異なる焦点面位置を有してよく、したがって、画像範囲内の異なる位置における高横分解能を提供する。強度が弱いまたは反射率が低い特徴部位に関連する領域を含む画像領域にわたって好適な解像度を有する合成画像を生成するために、複数の画像フレームのうちの画像フレームを位置合わせする（すなわち一列に整列させる）ことができる。
【０００７】
他の態様において、合成画像の生成の前に、複数の画像フレームのうちの画像フレームが位置合わせされ、かつ平均化される。平均化処理において、焦点特性に関して窓を配置することができる。例として、画像フレームについて、窓の中心がこの画像フレームのための焦点面位置に対応するように、対応する窓が配置される。各窓について、強度値に重み付けが適用される。たとえば、窓により特定される重みに応じた１行ごとの重み付けを画像フレームの強度値に行うことができる。１以上の窓からの１行ずつの強度の重み付けの総計が維持される。この総計により、物理的に正確なピクセル強度レベルを有する合成され平均化された画像フレームの生成が可能となる。
【０００８】
さらなる態様において、窓平均化を伴うまたは伴わないダイナミックフォーカススイープにより生成される最終的な合成画像を、画像の表示を最適化するための表示関連処理オペレーションに供することができる。
【０００９】
これらおよび他の実施形態は、以下においてより詳細に記述される。
【００１０】
本発明は、或る部分および部分の配置として物理的な形態を取ることができ、その実施形態は、この明細書において詳細に記述され、これの部分を形成する以下の付随的な図面において説明される。
【図面の簡単な説明】
【００１１】
【図１】図１は、典型的、非限定的なダイナミックフォーカススイーピングを用いたＯＣＴ撮像システムの概略図を示す。
【図２】図２は、ダイナミックフォーカススイーピングを可能とするＯＣＴ撮像システムの使用を目的とする典型的、非限定的な実施形態の図である。
【図３】図３は、ダイナミックフォーカススイーピングを可能とするＯＣＴ撮像システムの使用を目的とする典型的、非限定的な実施形態の図である。
【図４】図４は、ここに示す様々な実施形態の１以上の態様に係るＯＣＴ撮像システムのための典型的、非限定的な制御装置のブロック図である。
【図５】図５は、ダイナミックフォーカススイーピングを用いたＯＣＴスキャンのための典型的、非限定的な実施形態のフローチャートである。
【図６】図６は、ここに示す様々な実施形態の１以上の態様に係るＯＣＴ撮像システムのための典型的、非限定的な画像プロセッサのブロック図を示す。
【図７】図７は、ＯＣＴ画像の光学的特性に関するフォーカススイーピングおよび窓平均化のための典型的、非限定的な実施形態を示す。
【図８】図８は、画像フレームの窓平均化のための典型的、非限定的な実施形態のフローチャートである。
【図９】図９は、ここに示す様々な実施形態の１以上の態様に係るＯＣＴ撮像システムのための典型的、非限定的な画像プロセッサのブロック図を示す。
【図１０】図１０は、眼に関する（ＯＣＴ画像の光学的特性に関連する）フォーカススイーピングおよび窓平均化を示す。
【図１１】図１１は、眼に関する（ＯＣＴ画像の光学的特性に関連する）フォーカススイーピングおよび窓平均化を示す。
【図１２】図１２は、長範囲ＯＣＴ撮像に関連するダイナミックフォーカススイーピングを利用するための典型的、非限定的な実施形態を示す。
【図１３】図１３は、ダイナミックフォーカススイーピングを利用した複数の短範囲撮像を介する長範囲ＯＣＴ撮像のための典型的、非限定的な実施形態を示す。
【図１４】図１４は、１つの実施形態にしたがう複数の短範囲スキャンを用いた長範囲ＯＣＴ撮像を実行するよう構成されたダイナミックフォーカススイーピングを用いた典型的、非限定的なＯＣＴ撮像システムの概略図を示す。
【図１５】図１５は、ＯＣＴ画像に関連する光学的特性を示す。
【図１６】図１６は、ここに示す様々な実施形態の１以上の態様に実装可能な典型的、非限定的な計算装置または動作環境のブロック図を示す。
【発明を実施するための形態】
【００１２】
いくつかの用語が単なる利便性のためにここで用いられるが、これら用語は本発明の限定のためではない。ここで使用される関連用語は、図面を参照することにより最適に理解され、図面において同じ数字は同じまたは類似の事項を特定するために使用される。さらに、図面には、いくつかの特徴がいくらか概略的な形態で示されているであろう。
【００１３】
複数の要素に関する「少なくとも１つ」という句は、もしここで使用される場合、ここでは、これら要素の１つ、または２以上の要素の組み合わせを意味する。たとえば「第１の部品と第２の部品の少なくとも１つ」という句は、本応用において、第１の部品、第２の部品、または、第１の部品と第２の部品を意味する。同様に、「第１の部品、第２の部品および第３の部品の少なくとも１つ」という句は、本応用において、第１の部品、第２の部品、第３の部品、第１の部品と第２の部品、第１の部品と第３の部品、第２の部品と第３の部品、または第１の部品と第２の部品と第３の部品を意味する。
【００１４】
ここに示す１以上の態様によれば、ＯＣＴ撮像システムを用いたスキャンキャプチャ中に、画像範囲の少なくとも一部において焦点面位置を同時に変更することができる。その結果、様々な焦点面位置にそれぞれ対応する複数の画像フレームが取得される。弱強度または低反射率の特徴部位に関連する領域を含む画像範囲にわたって好適な解像度を有する合成画像を生成するために、画像フレームを組み合わせることができる。さらに、焦点が合っている画像データに付与された重みを合成画像が組み込むように、合成画像の生成前に窓平均化を実行することができる。
【００１５】
１つの実施形態において、光コヒーレンストモグラフィ（ＯＣＴ）撮像システムがここで説明される。このＯＣＴ撮像システムは、対象のＯＣＴスキャンデータをキャプチャするための光学的サブシステムを含む。この光学的サブシステムは、光源から対象にスキャンビームを伝送するための対物レンズを含んでよい。この対物レンズは、対象に関する焦点面位置を調整できるように構成されていてよい。ＯＣＴ撮像システムは、光学的サブシステムによるＯＣＴスキャンデータのキャプチャを制御し、対象に関する焦点面位置を調整するための対物レンズを構成し、かつ、ＯＣＴスキャンデータを処理することにより少なくとも１つのＯＣＴ画像を生成するための制御装置をさらに含んでよい。
【００１６】
１つの例によれば、制御装置は、少なくとも１つのディスプレイと少なくとも１つのプロセッサとを含んでよい。この少なくとも１つのプロセッサは、光学的サブシステムと、ＯＣＴスキャンデータを少なくとも１つのＯＣＴ画像に変換するための画像プロセッサと、この少なくとも１つのＯＣＴ画像をディスプレイに出力するための表示プロセッサとに制御信号を提供するために光学的スキャン制御を実行するよう構成されていてよい。複数の焦点面位置にそれぞれ関連する複数のスキャンキャプチャをＯＣＴスキャンデータが含むように、制御装置は光学的サブシステムを制御する。さらに、制御装置は、その複数のスキャンキャプチャを複数のＯＣＴ画像に変換し、その複数のＯＣＴ画像の窓平均を生成し、その窓平均に基づいて合成ＯＣＴ画像を生成するようさらに構成される。たとえば、窓平均を生成するために、制御装置は、複数のＯＣＴ画像のうちのそれぞれのＯＣＴ画像のそれぞれのピクセル強度に対し、それぞれのＯＣＴ画像に関連するそれぞれの焦点面位置に基づいて重み付けを行う。ピクセル強度は、焦点面位置からの距離に少なくとも部分的に基づいて重み付けされる。
【００１７】
他の例によれば、対象をスキャンするための光学的サブシステムを調整するために利用される対象の予備画像を生成するために、制御装置は光学的サブシステムを制御する。たとえば、対象の予備画像に関連する画像範囲内のアンカー点を検出し、この画像範囲内における当該アンカー点の位置が既定位置となるように、光学的サブシステムの参照ミラーを調整する。１つの具体例において、対象は眼であってよく、アンカー点は、この眼の網膜、強膜、脈絡膜、角膜または水晶体の１つであってよい。ＯＣＴスキャンデータをキャプチャする前に、制御装置は、焦点面位置が画像範囲内の既定位置になるように対物レンズを構成する。制御装置は、複数のスキャンキャプチャを実行するよう光学的サブシステムを制御し、かつ、同時に、画像範囲内の複数の位置を通る焦点面位置を変更するよう対物レンズを構成する。
【００１８】
他の実施形態によれば、ＯＣＴ撮像システムを用いたフォーカススイーピングの方法が説明される。この方法は、ＯＣＴ撮像システムで対象をスキャンして複数のスキャンキャプチャを取得することと、対象内の焦点面位置をＯＣＴ撮像システムの画像範囲内の複数の焦点面位置に調整することと、を含む。１つの例において、複数の焦点面位置のうちの各焦点面位置について１以上のスキャンキャプチャが取得されるように、焦点面位置の調整は、対象のスキャンと同時に行われる。
【００１９】
他の例によれば、焦点面位置の調整は、画像範囲の１つのエッジから他のエッジに焦点面位置を移動することを含んでよい。この焦点面位置の移動は連続的であってもよいし、その代わりに、複数の焦点面位置が対象内の離散的な特徴点の集合に対応してもよい。
【００２０】
さらに他の例において、当該方法は、対象に関する異なる位置に画像範囲を変更するためにＯＣＴ撮像システムの参照ミラーの位置を調整することと、画像範囲内における焦点面位置の調整を同時に行いつつ対象を再スキャンすることにより画像範囲の異なる位置に関連する第２の複数のスキャンキャプチャを取得することと、を含んでもよい。
【００２１】
さらにまた、当該方法は、複数のスキャンキャプチャを複数の画像フレームに変換することと、複数の画像フレームのうちの各画像フレームをテンプレートフレームに位置合わせすることと、複数の焦点面位置のうち当該画像に関連する焦点面位置に応じて各画像フレームに重みを適用することと、重み付けされた画像フレームを平均化することにより合成画像を生成することと、を含んでよい。
【００２２】
さらに他の実施形態において、複数の焦点面位置にそれぞれ関連する複数のスキャンキャプチャを含む対象のＯＣＴスキャンデータをキャプチャするための光学的サブシステムを含むＯＣＴ撮像システムがここで説明される。このＯＣＴ撮像システムは、ＯＣＴスキャンデータを複数のＯＣＴ画像に変換し、複数の焦点面位置に基づいて複数のＯＣＴ画像に対して窓平均を実行し、この窓平均に基づく合成画像を出力するための画像プロセッサをさらに含む。
【００２３】
１つの例によれば、光学的サブシステムは、異なる深さの焦点をそれぞれ有する複数の光ビームを対象に送信するよう構成される。これら異なる深さの焦点は、複数の焦点面位置に対応する。他の例においては、光学的サブシステムは、光源から対象にスキャンビームを伝送するための対物レンズを含む。この対物レンズは、対象に関する焦点面位置を複数の焦点面位置に調整できるよう構成されてよい。
【００２４】
他の実施形態によれば、ＯＣＴスキャンデータから対象の合成画像を生成する方法が提供される。この方法は、複数の焦点面位置にそれぞれ関連する複数の画像フレームをＯＣＴ撮像システムにより取得することと、各焦点面位置に基づいて複数の画像フレームに重み付けする窓平均化を複数の画像フレームに対して実行することと、この窓平均化の結果から合成画像を生成することと、を含んでよい。１つの例において、窓平均化の実行は、複数の画像フレームのうち各焦点面位置に関連する画像フレームについて、当該焦点面位置に基づき生成された重み付け画像によって当該画像フレームを重み付けすることと、重み付け画像を用いて重み付けされたように当該画像フレームおよび同様に重み付けされた他の画像フレームを加算することと、を含んでよい。
【００２５】
他の例において、当該方法は、変換パラメータを生成するために画像フレームをテンプレートフレームに位置合わせすることと、画像フレームの重み付けの前に、重み付け画像および変換パラメータを伴う画像フレームとを変換することと、をさらに含んでよい。さらにまた、当該方法は、重み付け画像と、他の焦点面位置に関連する他の重み付け画像とを加算することを含んでよい。したがって、合成画像の生成は、加算され重み付けされた画像フレームと、加算された重み付け画像との間の商を算出することを含んでよい。
【００２６】
さらに他の実施形態によれば、ＯＣＴ撮像のための方法が説明される。この方法は、複数の画像フレームを取得するために対象をＯＣＴ撮像システムでスキャンすることを含む。この方法は、対象内の焦点面位置を変更するためにＯＣＴ撮像システムの画像範囲内の焦点面位置の集合を連続的にスキャンする間にＯＣＴ撮像システムを制御することをさらに含んでよい。１つの例において、ＯＣＴ撮像システムの制御は、焦点面位置の集合のうちの焦点面位置ごとに少なくとも１つの画像が取得されるように、対象のスキャンと同時に行われる。当該方法は、各画像フレームが取得された各焦点面位置に基づき生成された各重み付け画像を用いて、複数の画像フレームのうちの各画像フレームを重み付けすることと、重み付けされた複数の画像フレームおよび各重み付け画像に基づいて合成画像を生成することと、この合成画像をディスプレイに出力することと、を含んでもよい。
【００２７】
図１は、ここに説明される１以上の態様に実装可能な典型的、非限定的なＯＣＴ撮像システム１００を示す。図１は、一般的な構造的概要を提供することを意図したＯＣＴ撮像システムの簡略化された描出であり、撮像システムの完全な実装を必ずしも表すものではない。たとえば、偏光コントローラ、付加的なビームスプリッタ、他の光路などの光学素子が、明確性のために省略されている。実質的に任意の形態のＯＣＴ撮像に関連してここに説明され主張される技術を利用することができるので、図１の概略図は、一般に、たとえば（これらに限定されるものではないが）タイムドメインＯＣＴ、スペクトラルドメインＯＣＴ、および／またはスウェプトソースＯＣＴなど様々なＯＣＴの実施を包含することを意図している。
【００２８】
一般に、ＯＣＴは、超音波撮影と同様の基本原理にしたがって動作するが、超音波撮影では音波を利用するのに対し、ＯＣＴでは媒体として光を利用する。すなわち、ＯＣＴは、被検体に光を照射し、時間的遅延と反射光の強度とを測定することにより、被検体を撮像する。しかしながら、光は音波よりもはるかに速い。よって、超音波エコーにおける時間的遅延と異なり、反射光の時間的遅延は直接には検出されない。代わりに、ＯＣＴでは、被検体の複数の構造間の距離に相当する時間差を検出するために、低コヒーレンス干渉法を利用する。特に、低コヒーレンス広帯域光がサンプル部分と参照部分とに分割される。参照部分は参照物（つまり参照ミラー）に向かって経路を進行し、サンプル部分は被検体（たとえば眼、特に網膜）に向かって進行する。サンプル部分および対応する被検体からの反射光の進行距離が、参照部分および対応する反射光の進行距離のコヒーレント長に含まれるとき、干渉パターンが生成される。この干渉パターンは、被検体の或る深さにおける光の強度を示し、被検体に関連する画像データの生成を容易化する。
【００２９】
被検体の様々な深さにおける強度情報を求めるために、いくつかの異なる技術を利用することができる。タイムドメインＯＣＴと呼ばれる１つの手法においては、異なる深さをスキャンするために参照部分の進行距離が変更される。たとえば、進行距離を変更するために参照ミラーが往復動される。集合的に周波数ドメインＯＣＴと呼ばれる他の手法では、参照部分の変化を要さない。これら手法においては、光の様々な波長がたとえば空間的または時間的にエンコードされ、検出された干渉信号の異なる複数の周波数が、被検体内部の異なる深さに相当する。異なる複数の周波数における反射強度を表す受信信号に対するフーリエ解析により、被検眼の１つの点における異なる深さでの反射強度が生成される。
【００３０】
周波数ドメインＯＣＴの１つの手法（一般にフーリエドメインまたはスペクトラルドメインＯＣＴと呼ばれる）によれば、回折格子または他のそのような分散手段により、参照干渉パターンが個々の波長成分に分散される。概念的には、各々が特定の波長帯に感度を有するフォトディテクターアレイが、被検体の１つのスキャン点における異なる複数の深さに対応する周波数成分のそれぞれの強度を同時に検出する。しかしながら、従来の実務においては、典型的に電荷結合素子（ＣＣＤ）若しくは相補性金属酸化膜半導体（ＣＭＯＳ）のラインカメラまたは分光器が利用され、回折格子が光の異なる複数の波長を物理的に分離する。スウェプトソースＯＣＴと呼ばれる他の例においては、異なる波長にわたるスキャンを行うために可変光源が用いられる。各スキャン周波数における強度が収集され、フーリエ解析によって変換されることにより、様々な深さにおける強度を列挙した強度プロファイルが生成される。
【００３１】
ＯＣＴ撮像のために、そしてここで利用されるように、様々な特性を次のように定義することができる。
2015016290.tif 000003
【００３２】
上記の式において、λは波長を表し、Δλはスペクトルサンプリング幅を表し、ｆは焦点距離を表し、Φはビーム径を表す。概念的に、画像範囲は、スキャンデータがキャプチャされるアキシャル距離（つまり、サンプルボリュームのｚ軸寸法）を表す。焦点深度は、光ビームがＯＣＴ撮像のために適当な径を有する範囲を表す。光ビームのスポットサイズ（つまり断面半径）は、焦点深度内の１つの位置での最小サイズである。その位置はビームウェストと呼ばれ、その位置に関連する最小サイズはビームウェスト径と呼ばれる。ビームウェスト径は横断的解像度または横解像度の尺度であってよく、より小さなビームウェスト径はより高い横分解能に相当する。焦点深度は一般に焦点面の中心であり、ここで、焦点面はｚ軸に直交しかつビームウェストを通る光学面である。なお、「面」と記載するが、焦点面は様々な収差に起因する曲面であってよい。
【００３３】
上記の式から見て取れるように、画像範囲および焦点深度は、ＯＣＴ撮像において互いに独立である。しかし、焦点深度Ｚｆおよびビームウェスト径Ｘｆは、ともに開口数に依存する。開口数は、Φ／ｆに比例し、さらに、上記の式から分かるように、ビームウェスト径（または横分解能）よりも焦点深度に対してより大きな影響を与える。
【００３４】
典型的な眼科ＯＣＴ撮像システムにおいて、焦点深度Ｚｆはおおよそ１ミリメートルであり、画像範囲Ｚｉｍはおおよそ３ミリメートルである。図１５は、画像範囲に関してＯＣＴ画像に関連するこれら特性を示す。画像範囲に対するＺ軸に沿う強度は、焦点面の中心に位置するガウシアン形状に実質的に対応する。示されているように、焦点深度は、より大きい強度を有する画像範囲の部分に主として対応し、かつ、画像範囲における低強度部分を除外している。強度のガウシアン形状は、図１５に示すレーザビームの形状および径にしたがう。焦点面において、レーザビームは狭くなり、より強くなる。したがって、焦点面周辺の眼の組織や他の部分からの反射もより大きな強度を有するであろうし、横分解能が効果的に高くなる（つまり向上する）であろう。
【００３５】
従来のＯＣＴシステムは、一般的に、画像範囲に概略的に対応する焦点深度を有する。これは、信号対ノイズ比（ＳＮＲ）に関して数デシベルの非一様性を与える。この非一様性は、今度は、たとえば硝子体、脈絡膜、角膜、水晶体および／または強膜などの弱強度構造のための高感度撮像モダリティとしてのＯＣＴの性能に対して不利に影響する。さらに、焦点深度を画像範囲に合わせることは、横分解能に負の影響を与える。ＯＣＴ撮像システムの技術的進展は画像範囲の拡大に向かっているので、焦点深度と画像範囲とを合わせる戦略は横分解能の大きく劣化させるであろう。典型的には後眼部撮影では網膜に、前眼部撮影では角膜、虹彩または水晶体に調整される焦点面から離れて弱強度の領域が位置している場合、そのような低強度の特徴部位を撮像する能力は、レンズ系の焦点深度の特性による妥協を受ける。したがって、従来のＯＣＴ撮像システムでは、弱強度の特徴部位の撮像と高画質の網膜撮像と両立させることは困難である。
【００３６】
或る態様において、図１に示すＯＣＴ撮像システム１００は、網膜、強膜、脈絡膜、硝子体、角膜、虹彩、水晶体および／または眼１１２全体を含む眼１１２の部分の断面像を生成するように構成される。そのような画像は、一般に、光源１０２からの光を眼１１２の部分に照射し、反射光を観察することにより生成される。光源１０２は、スペクトラルドメインＯＣＴの場合は低コヒーレンス広帯域であってよく、スウェプトソースＯＣＴの場合には可変レーザであってよい。光源１０２から発せられた光は、ビームスプリッタ１０４等の光アダプタによって２つの部分に分割される：サンプル部分１２４は眼１１２に向かって進行し、参照部分１２６は参照反射器に向かう経路に沿って進行する。図１に示すように、コリメータ１１４に導く光ファイバケーブルを含んでよく、コリメータ１１４は、光源１０２からの光を参照ミラー１１８に集束させるためのレンズ１１６等の光学素子に送る。同様に、サンプル部分１２４は、コリメータ１０６まで光ファイバケーブルをたどり、コリメータ１０６は光をスキャナ１０８に送る。スキャナ１０８は、眼１１２の表面の様々な点に向け、これらをスキャンするよう構成される。特に、スキャナ１０８は、対物レンズ１１０により眼１１２の内部に形成される焦点面の２次元（２Ｄ）スキャンを可能にする。詳細は後述するが、対物レンズ１１０は、眼１１２の実質的に任意の深さにサンプル部分１２４の焦点面を調整することを可能とする。
【００３７】
サンプル部分および対応する対象からの反射が進行する距離が、参照部分および対応する反射が進行する距離のコヒーレンス長以内であるとき、干渉パターンが生成される。干渉パターンは、検出器１２０によって検出され、画像データ１２２（インターフェログラムであってよい）として出力される。干渉パターンは、スキャンされる眼１１２の部分についての強度情報をコード化し、これは同様に眼１１２の表示可能な画像の生成を容易化する。後述するが、画像データ１２２は画像プロセッサ（図示せず）に供給されてよい。
【００３８】
システム１００により実行されるスキャンキャプチャの間に、焦点面を眼１１２の内部の異なる位置に移動させるために対物レンズ１１０が調整される。このダイナミックフォーカススイーピングは、従来のＯＣＴ撮像では撮像し損なうであろう弱強度（たとえば、硝子体、脈絡膜、強膜等）を有する特徴部位を含む合成画像における画像空間全体を横切る画像の生成を容易化する。対物レンズ１１０の１つの典型的な実施形態を示す図２に移行する。図２において、対物レンズ１１０は、眼１１２の内部の焦点面を調整するために動作するレンズ２１２および２１４を含むレンズ群を含む。図２に示すように、結果としての焦点面が眼１１２の網膜２００に対応する第１の焦点面２０２になるように、レンズ２１２および２１４を第１の状態に互いに相対的に配置させることができる。異なる相対配置を有する第２の状態にレンズ２１２および２１４を移行できるように、レンズ２１２および２１４のうち少なくとも１つは移動可能とされる。第２の状態において、焦点面は、眼１１２の硝子体２０４に対応する第２の焦点面２０６となる。
【００３９】
代替的な実施形態においては、図３に示すように、対物レンズ１１０は、図２と同様のレンズ２１４と、可変レンズ３１２とを含んでよい。この可変レンズは、たとえば図２に描写するようなレンズの物理的な平行移動を行うことなく、焦点面を第１の焦点面２０２から第２の焦点面２０６に変更することを可能とする。しかしながら、図２および３の実施形態を互いに一体的に用いることも可能である。つまり、対物レンズ１１０は、眼１１２全体にわたって焦点面をスイープするための制御をそれぞれが受ける、１以上の可変レンズと、１以上の平行移動可能なレンズとを含んでよい。
【００４０】
さらに、図２および３は、２つの焦点状態を用いる例を示している。しかしながら、３以上の焦点状態を対物レンズ１１０で達成できるようにしてもよい。実際、ＯＣＴ撮像システム１００の画像範囲内の複数の焦点面位置に対応する複数の焦点状態になるように対物レンズ１１０を構成できる。或る態様による複数の焦点面位置は、画像範囲内の離散的な焦点面位置の集合を含んでよい。その代わりに、複数の焦点面位置は、たとえばステッピングモータのステップサイズを条件するなどして、画像範囲にわたり実質的に連続的でもよい。
【００４１】
さらに、上記の対物レンズ１１０の代わりにまたはそれとともに、小さい角度に向き付けられた直方体プリズムを用いることができる。直方体プリズムは、内部反射ごとに光の一部が出射されるように構成される。それにより、複数の光ビームが眼１１２に送られ、各ビームは異なる焦点深度を有する。上記の技術に加え、異なる焦点深度を有する複数の光ビームを同時にまたは連続的に送るための他の技術を用いることができるようにしてよい。特に明記しない限り、ここで説明される画像処理（つまり窓平均化）および／または表示処理技術は、焦点深度の制御の方法に関係なく、異なる焦点深度から取得される画像データを提供するＯＣＴ撮像システムに適用可能であることを意図している。
【００４２】
前述したように、ＯＣＴ撮像システム１００は、眼１１２のスキャンを実行し、１以上のインターフェログラム（またはＡスキャン）、つまり画像データ１２２を出力する。図４は、ＯＣＴ撮像システム１００の動作を制御し、かつそれから取得されるスキャンデータを処理する典型的、非限定的な制御装置４００を示す。１つの例によれば、制御装置４００には、後述する典型的な計算装置と同様に、１以上のディスプレイと、１以上のプロセッサ（分散配置または一体配置される）、非一時的コンピュータ読み取り可能媒体、ユーザインターフェイス装置、および／または様々な通信インターフェイスを有する計算装置が設けられていてよい。
【００４３】
図４に示すように、制御装置４００は、ＯＣＴ撮像システム１００に制御信号を提供するよう構成された光スキャン制御４０２を含む。制御信号は、光源１０２を開始／停止するための信号、スキャナ１０８を調整するための信号、対物レンズ１１０を調整するための信号などを含んでよい。さらに、光スキャン制御４０２は、ＯＣＴ撮像システム１００からフィードバック信号を受信してよい。そのようなフィードバック信号は、スキャナ１０８、対物レンズ１１０（つまり焦点情報）、およびＯＣＴ撮像システム１００の他の構成要素のそれぞれの状態を示してよい。詳細は後述するが、様々な焦点面位置にてキャプチャされた複数の画像フレームの処理を容易化するために、フィードバック信号に含まれるいくつかの情報を画像プロセッサ４０４に提供することができる。画像プロセッサ４０４は、ＯＣＴ撮像システム１００からスキャンデータ（つまりインターフェログラムまたは画像データ１２２）を取得し、さらに、任意的に、フィードバック信号に含まれる焦点情報を光スキャン制御４０２から取得する。或る態様によれば、スキャンデータは、画像範囲内において変化する焦点面位置にてキャプチャされた複数の画像フレームを含む。複数の画像フレームをそれぞれ異なる焦点面位置を用いてキャプチャすることができ、２以上の画像フレームを特定の焦点面位置を用いてキャプチャすることができ、または、１つの画像フレームを２以上の焦点面位置にわたってキャプチャすることができてよい。画像プロセッサ４０４は、複数の画像フレームから合成画像を生成する。ディスプレイに出力する前に付加的な表示指向の処理を行うために、合成画像を表示プロサッサ４０６に提供することができる。
【００４４】
ダイナミックフォーカススイーピングを用いたＯＣＴスキャンを実行するための典型的、非限定的な処理を示す図５に移行する。複数の焦点面位置でのスキャンキャプチャに対応するスキャンデータを生成するために、この処理は、たとえば、上記のシステム１００により制御装置４００（特に光スキャン制御４０２）と関連して実行することができる。
【００４５】
５００において、アンカー点を検出し、参照ミラーを介して深さを調整するための任意的な処理が行われる。つまり、画像範囲内におけるアンカー点の位置が決定される。所望の画像のタイプに応じ、アンカー点は、後眼部撮影では網膜であってよく、前眼部撮影では角膜、虹彩または水晶体のうちの１つであってよい。アンカー点の位置をリアルタイムでまたはほぼリアルタイムで決定するために、制御装置４００は画像プロセッサ４０４を利用することができる。画像範囲に関するアンカー点の位置が希望通りに正確に設定されるように、制御装置４００からの制御信号によって参照ミラー１１８の位置を調整することができる。たとえば、後眼部撮影において、画像範囲の大部分が硝子体を含むように、網膜位置を画像範囲のエッジ近く（たとえば、表示時の画像の下半分）にすることができる。逆に、他の例として、前眼部撮影において、表示時に上半分に対応する画像範囲のエッジ近くに水晶体（または角膜）を位置させることができる。図解のために、図１０に示すような網膜、図１１に示す角膜、または本質的に眼の他の任意の特徴部位に関する画像範囲の位置を、任意的なステップ５００により設定することができる。
【００４６】
５０２において、オートフォーカスおよび焦点面の検出が実行される。１つの例において、この処理により、画像範囲におけるアンカー点の位置を用いて焦点面が調整される。これは、基礎をなす組織のライブモニタリングを介しておよびマニュアル処理または自動処理のいずれかを介して行われる。マニュアル処理として、ユーザは、ライブ画像を観察しつつ、ユーザインターフェイスを介して焦点面を調整することができる。焦点面およびアンカー点を調整するとき、ユーザは、ユーザインターフェイスを介して制御装置４００に通知する。自動処理として、たとえば、焦点面への微調整をしつつ、画像信号強度が測定され、または画質の指標が決定される。画像信号強度または画質スコアが最大化されるとき、焦点面とアンカー点の位置との間の調整が達成される。おおよそ、焦点深度に対応する深さにわたる最大平均強度の画像特徴部位を焦点深度が含むとき、画像信号強度または画質の指標を最大化する焦点面位置が典型的に生じる。たとえば、最大平均強度の画像特徴部位は、網膜（後眼部撮影）または角膜（前眼部撮影）の中心であってよい。標準的な画像処理動作を介して、特定の特徴部位の深さを画像範囲内にて評価することができる。たとえば、この画像特徴部位の深さを決定する技術の１つは、焦点深度におおよそ等しい幅を有する窓内で軸方向における統合された信号を最大化することを含む。実際的な目的のため、画像信号強度または画質の指標が最大化されるとき、選択された窓を用いた最大統合信号強度に対応する特徴部位の平均深さ（全てのＡラインにわたって演算される）として、焦点面位置を決定することができる。
【００４７】
調整の後、５０４において、焦点面を所定の既知の位置に任意的に移動することができる。１つの例において、この所定の既知の位置は画像範囲の範囲であってよい。５００で決定されたアンカー点の位置、５０２で決定されたような焦点面位置、画像範囲、および、ＯＣＴ撮像システム１００の光学系からあらかじめ決定されるような焦点特性のうち１つ以上を考慮することによって、この移動を達成することができる。
【００４８】
５０６において、画像範囲内において焦点面の位置を同時に移動させつつ、或る期間にわたって複数の画像が順次にキャプチャされる。スキャンキャプチャ中の異なるタイミングで焦点面が様々な眼の深さとなるように、焦点面位置が調整される。たとえば、後眼部撮影では、スキャンキャプチャ中の異なるタイミングにおいて網膜、硝子体および眼内の他の深さに焦点面が対応するように、焦点面位置を調整することができる。１つの例において、焦点面位置が画像キャプチャに対応して連続的かつ直線的に移動されるように、焦点面の調整は連続的かつ直線的調整であってよい。たとえば、焦点面位置は、最初は画像範囲の１つの範囲であってよく、直線的なプロファイルに沿って画像範囲の他の範囲に変更されてもよい。他の例では、焦点面の調整は、連続的であるが、非直線的であってよい。さらに他の例では、離散的な焦点面調整を行うことができ、このとき、焦点面は特定の深さ（たとえば、脈絡膜の中心、網膜の中心、水晶体の中心、角膜の中心など）に配置され、かつ複数のスキャンキャプチャが各焦点面位置にて収集される。さらに、焦点面調整を容易化するために、リアルタイム（またはほぼリアルタイム）の画像解析が、たとえば連続的でも離散的でも、画像プロセッサ４０４の補助を用いて実行される。焦点面が所望の位置に正確に調整されることを確保するために、そのような画像解析により眼球運動を補償することができる。
【００４９】
スキャンキャプチャの完了時に、５０８において、スキャンデータが画像処理に供される。ここで利用されるように、上記のようにして取得されたスキャンデータは複数の画像フレームを含んでいてよい。各画像フレームが焦点面位置の集合のうちの焦点面位置に関連付けられ、その関連付けられた焦点面位置に焦点面が調整されつつ当該画像フレームがキャプチャされる。図６は、１以上の態様に係る典型的、非限定的な画像プロセッサ６００を示す。画像プロセッサ６００は、たとえば、上記の画像プロセッサ４０４についての１つの実施形態を提供する。図６に示すように、画像プロセッサ６００は、インターフェログラム等の画像データを、強度情報を提供するＯＣＴ画像に変換する画像コンバータ６０２を含む。画像コンバータ６０２は、相互位置合わせを行うための位置合わせモジュール６０４にＯＣＴ画像を送る。或る態様において、スキャンデータは、様々な焦点面位置からキャプチャされた複数の画像フレームを含む。これら画像フレームはともに、共通のテンプレート画像または他の選択された画像（つまり、最初にキャプチャされた画像、ライブラリ画像、事前に生成された合成画像など）に対して位置合わせされる。位置合わせされた画像は、１行ごとの窓平均化処理を実行する平均化モジュール６０６に送られる。例として、画像フレーム内の強度値は、窓によって重み付けされる。窓は、スキャンキャプチャ中に用いられる焦点面の中央に配置される。焦点面の位置、したがって画像範囲内の窓の位置を、光スキャン制御４０２により提供される焦点情報から決定することができる。それぞれの窓について、強度値は１行ごとを基礎として重み付けされ、この１行は、焦点プロファイルの深さ内における特定の深さに対応する。所与の行について重み付けされた強度値は、所与の行が含まれる全ての窓にわたって加算される。全ての行について加算され重み付けされた強度値は、表示前のさらなる処理のために平均化モジュール６０６から表示プロセッサ４０６に出力されてよい合成画像を生成するために用いられる。任意的に、記憶、表示、または他の所望の下流の処理を容易化するための標準化（正規化）および／またはデータ変換を受けるために、標準化／変換モジュール６０８に合成画像を提供することができる。
【００５０】
弱強度特徴部位および高強度特性部位を同時に画像化するために、ここに説明する１つの実施形態にしたがって、窓平均化を伴うまたは伴わないフォーカススイーピングが用いられる。この技術が示された図７に移行する。図７に描写されているように、時間ｔ１からｔＮまで様々なスキャンが次々とキャプチャされる。各スキャンについて、焦点面を画像範囲に沿う異なる位置に移動することができる。したがって、各スキャンについて、対応するガウシアン強度データが、図７に示すように取得される。図７に示すガウシアン強度曲線は、強度の絶対値を表すものでなくてよい。むしろ、この強度曲線は、各スキャンについて、画像範囲の対応位置に位置する構造についての実際の強度値の程度に対応する。換言すると、スキャンの焦点面の近傍の位置において好適なＳＮＲおよび好適な横分解能が得られ、それゆえ、焦点面が弱強度特徴部位（たとえば硝子体、強膜、水晶体）であるか高強度部位（たとえば網膜、角膜）であるかに関わらず、相対的で物理的な強度値のより正確な表現が得られる。さらに、画像範囲を超えて拡張してガウシアン強度曲線を示しつつ、画像範囲外の特徴部位についての実際の強度値を必ずしも取得しなくてもよい。
【００５１】
複数のスキャンキャプチャから合成画像を生成するために、窓平均化が用いられる。図７において、各スキャンキャプチャについて各窓が示され、対応するスキャンキャプチャについて用いられた焦点面の中心に各窓が配置される。しかしながら、各スキャンキャプチャはそれに関連付けられた分離した窓を有する必要はなく、同じ窓に１以上のスキャンキャプチャを関連付けてもよい。さらに、図７に描写された窓の幅は典型例であり、幅は、図示したものより小さくても大きくてもよい。加えて、（たとえばシステム制御に基づき）時間とともに、および／または焦点位置によって、光学的な焦点特性が可変であってよい。したがって、これに対応して窓特性も可変であってよい。
【００５２】
窓に対して重み付けスキームが適用される。１つの例において、窓の中心に対応する強度値に最大重みが適用されるように、重みがガウシアン形状にしたがってよい。この例によれば、上記のように、重みのガウシアン曲線がスキャンキャプチャについての強度曲線に実質的に対応するような窓の幅であってよい。よって、特定の窓について、焦点面から離れた位置の特徴部位の強度値が減じられ、焦点面の近くの特徴部位の強度値が引き立てられる。他の例において、窓内の強度値をそのままにしつつ（たとえば重み付け１）、窓外の強度値がゼロ設定になる（たとえば重み付け０）ように、長方形の窓を適用することができる。上記の重み付け関数は典型例であってよく、ここに説明するように窓平均化に用いられる特定の重み付け関数はおおむね任意であってよい。たとえば、上記の関数に加えて、二乗余弦窓または三角窓を用いることができる。一般的に、選択された窓のタイプが焦点から離れた強度値の行よりも焦点の近くの強度値の行に重み付けすることを達成するという条件の下、実質的に任意の窓形状または重み付け関数が、ここに説明する技術とともに使用するために好適である。
【００５３】
図８は、画像フレームの窓平均化についての典型例、非限定的な方法を示す。この方法は、たとえば、画像プロセッサ４０４または６００により実行することができる。８００において、スキャンデータが複数の画像フレームに変換される。８０２において、複数の画像フレームがともに位置合わせされる。８０４において、窓平均化が実行される。各画像フレームについて、その画像フレームに対応する焦点情報にしたがって窓を設定することができる。焦点情報については、スキャンキャプチャ処理の経験的知識を介して取得でき、スキャンキャプチャ処理により取得された各画像フレームについての明示的に通信されたレンズ位置から取得でき、および／または、テンプレートフレームに基づき推定できる。この情報により、焦点が合っていない範囲（つまり特定の画像フレームについて焦点深度から遠い範囲）よりも焦点が合っている範囲に対して高い重みが与えられるように、窓が設定され、位置合わせされた画像フレームに適用される。前述したように、重み付けは、ガウス分布にしたがってよく、或いは代替的に、長方形窓が適用されてもよい。
【００５４】
１つの例によれば、窓が設定され、かつ、画像フレームがキャプチャされた各焦点面位置の中心に配置される。各窓について、焦点プロファイルの深さ内の特定の深さに対応する行とともに１行ごとに、窓内の強度に対して重み付けが適用される。複数の窓に含まれる行について、それぞれの窓からのそれぞれの重み付けされた強度値が加算される。これら加算され重み付けされた全窓にわたる強度値は、画像範囲全体の合成画像を生成するために使用される。たとえば、合成画像を生成するために任意に与えられた行に対応する全て足し合わされた重みにより、加算され重み付けされた強度値を除算することができる。８０６において、合成画像に対して任意的に正規化および／またはデータ変換を行ってよい。
【００５５】
８０８において、合成画像に対する表示処理が実行される。或る態様によれば、表示処理により、合成画像、特に硝子体等の弱強度特徴部位の強調された視覚化が提供される。以下に限定されるものではないが、表示関連の処理動作は、強度信号範囲の圧縮、ガンマ補正、および／またはヒストグラム平坦化（たとえば、適応ヒストグラム平坦化、コントラスト限定適応ヒストグラム平坦化など）を含んで実行される。
【００５６】
１以上の態様における典型的、非限定的な画像プロセッサ９００を示す図９に移行する。画像プロセッサ９００は、画像プロセッサ６００と同様に、画像プロセッサ４０４についての他の典型的な実施形態を提供する。図９に示すように、画像プロセッサ９００は、インターフェログラムデータ等のスキャンデータを、強度情報を提供するＯＣＴ画像に変換する画像コンバータ９０２を含む。画像コンバータ９０２は、テンプレート画像への位置合わせを行うための位置合わせモジュール９０４にＯＣＴ画像を提供する。テンプレート画像は、ライブラリ画像、過去のスキャンからの画像、最も最近に生成された合成画像、過去に位置合わせされた同集合からの画像フレームなどであってよい。換言すると、テンプレート画像は、経時的に更新されてよく、および／またはＯＣＴ画像ごとに異なってよい。当該患者について最も最近に生成された合成画像からなるテンプレートフレームに、最初のＯＣＴ画像を位置合わせすることができる。この位置合わせにより変換された第１のＯＣＴ画像を、第２のＯＣＴ画像等の位置合わせのためのテンプレート画像として用いることができる。位置合わせモジュール９０４は、テンプレート画像により定義されるテンプレート空間にＯＣＴ画像を位置合わせするのに好適な画像情報を特定する変換パラメータを生成する。ＯＣＴ画像および変換パラメータは、当該パラメータにしたがって当該ＯＣＴ画像を変換する変換モジュール９０８に提供される。図９に総体が示されているが、それぞれの変換パラメータが画像毎に生成されるように、個々のＯＣＴ画像を位置合わせモジュール９０４によってテンプレート画像に位置合わせすることができる。各画像は、次々に、変換モジュール９０８により各変換パラメータを用いて変換される。
【００５７】
或る態様において、画像に重み付けするために窓平均化が実行される。重み付けモジュール９０６は、焦点面位置を示す焦点情報に基づいて、１以上の重み付けされた画像を生成する。前述したように、焦点面位置については、経験的に知ることができ、光学的サブシステムにより明示的に通信することができ、または画像処理技術を介して推定することができる。１つの例において、重み付け画像は、各ピクセルについて、ＯＣＴ画像の対応するピクセルに適用される重みを提供する。ピクセルの重みは、焦点情報に基づいて、焦点面位置におけるまたはその近くのピクセルが焦点面位置からさらに離れたピクセルよりも高い重みを有するように決定される。
【００５８】
重み付け画像は、位置合わせモジュール９０４からの変換パラメータにしたがって変換を行う変換モジュール９１０に提供される。特に、各ＯＣＴ画像について、そのＯＣＴ画像に関連付けられた焦点面位置に基づき、対応する重み付け画像を生成することができる。そのＯＣＴ画像について位置合わせモジュール９０４により生成された変換パラメータは、対応する重み付け画像が変換するために変換モジュール９１０により用いられてよい。１つの例において、位置合わせモジュール９０４は、たとえば位相相関技術、強度に基づく位置合わせ、または特徴部位に基づく位置合わせなどの位置合わせ技術を適用することができる。
【００５９】
変換モジュール９０８および９１０によるそれぞれの変換の後に、重み付け画像によってＯＣＴ画像が重み付けされる。たとえば、乗算モジュール９１２は、ＯＣＴ画像と重み付け画像とのピクセル単位の乗算処理を実行することができ、それにより、重み付け画像により特定される重み付け値によってＯＣＴ画像の各ピクセル（強度値）を重み付けする。重み付けされたＯＣＴ画像は、複数の重み付けされたＯＣＴ画像から合成画像を生成する合成モジュール９１４に提供される。１つの例によれば、合成モジュール９１４は、複数の重み付けされたＯＣＴ画像を加算し、全ての重み付け画像にわたる重みの合計によって除算する。特に、合成モジュール９１４は、次式によって合成画像を生成することができる。
2015016290.tif 000004
ここで、Ｎは画像フレームの総数を表し、Ｉｎ（ｘ,ｚ）は画像フレームｎにおけるピクセル強度値を表し、ｗｎ（ｘ,ｚ）は画像フレームｎについての重み付け画像であってピクセルの重みを特定し、ＩＣ（ｘ,ｚ）は合成された平均画像におけるピクセル強度値を表す。
【００６０】
合成モジュールは、表示前のさらなる処理のために、合成画像を表示プロセッサ４０６に出力することができる。任意的に、記憶、表示または他の所望の下流の処理を容易化するための正規化および／またはデータ変換を受けるために、標準化／変換モジュール９１６に合成画像を提供することができる。
【００６１】
様々な方法で上記の処理を変形することができる。たとえば、変換パラメータによる変換処理の前に、重み付け画像とＯＣＴ画像とを乗算することができる。他の例において、位置合わせモジュール９０４により実行される位置合わせアルゴリズムに窓による重み付けを適用することにより、重み付け画像との乗算を用いたＯＣＴ画像の独立した重み付けを回避することができる。すなわち、変換パラメータが導出される最適化処理に重みを織り込むことができる。
【００６２】
重み付け画像を利用することにより、スキャンキャプチャ中の眼球運動により引き起こされるモデリングの回転、スケーリングまたは傾斜（歪み）が緩和される。すなわち、重み付け画像に変換パラメータを適用することにより、眼球運動から生じる演算エラーが緩和される。しかしながら、重み付け画像の変換を迂回することができ、典型的には小さな程度のエラーが介入されるだけであろう。顕著なエラーは、軸方向（たとえば、画像空間内のｚ軸）における顕著な眼球運動が起こっている間に観察される。しかし、このエラーは、重み付け画像の代わりに重み付けベクトルを用いることで緩和することができる。
【００６３】
図１０および１１は、それぞれ、後眼部撮影および前眼部撮影に好適な眼に関する画像範囲を示す。描写されているように、画像範囲に沿って焦点面を移動させることにより、画像範囲内の異なる特徴部位（たとえば、硝子体、網膜、角膜、虹彩、水晶体など）についての正確な強度値を取得することができる。上記した窓平均化を用いることにより、物理的現実を表す（複数のスキャンキャプチャに基づく）合成画像を生成することができる。
【００６４】
スウェプトソースＯＣＴにより、たとえば、数センチメートルの画像範囲を達成可能である。図１２に示すように、高強度特徴部位（網膜、角膜）および低強度特徴部位（硝子体、水晶体）を含む眼全体の高画質の合成画像を生成するための長い画像範囲に、ダイナミックフォーカススイーピングおよび窓平均化の技術を適用することができる。さらに、図１３に示すように、従来の画像範囲を有するＯＣＴの実施であっても、眼全体の高画質の合成画像を生成することができる。図１３に示すように、つなぎ合わされた複数の短い画像が眼全体の画像を提供するように、いくつかの短い画像範囲をつなぎ合わせることができる。図５に関して上述したように、画像範囲がアンカー点（すなわち、網膜の位置、角膜の位置、水晶体の位置など）を含むように、参照ミラー１１８が配置される。この概念を拡張することにより、対応する複数の画像範囲が連結されて図１２に描写されたものと同等の長範囲の画像が形成されるように、いくつかの画像位置を用いることが可能である。図１４は、図１３に示すような眼の異なる深さに対応する画像をキャプチャするために画像位置を変更できるスイッチ１４０２を含むＯＣＴ撮像システム１４００を示す。
【００６５】
前述したように、画像範囲と横分解能（またはビームウェスト径）との間には、光の物理的特性およびＯＣＴ撮像に伴う特性に起因する固有のトレードオフが存在する。より具体的には、たとえば開口数の増加による横分解能の向上（ビームウェスト径の減少）は、典型的には、焦点深度を減少させる。この焦点深度の短縮は、効果的な画像範囲を制限する。同様に、開口数の減少による焦点深度（同様に、画像範囲）の増加は、典型的には、横分解能を減少させる（つまり、ビームウェスト径を増加させる）。しかしながら、ここに説明するダイナミックフォーカススイーピングおよび窓平均化の技術により、このトレードオフの効果を緩和することができる。換言すると、高い横分解能および向上したＳＮＲを、この発明の長い画像範囲にわたって達成することができる。
【００６６】
たとえば、高い開口数を有するＯＣＴ撮像システムは、典型的には、小さな焦点深度にわたる高解像度の画像を生成する。ダイナミックフォーカススイーピングにより、焦点面、したがって焦点深度が画像範囲にわたってパンされ、高解像度の画像が画像範囲全体にわたってキャプチャされる。さらに、結合された複数の画像範囲にわたりキャプチャされたいくつかの高解像度の画像は、効果的な画像範囲をさらに増加することができる。
【００６７】
（典型的な計算装置）
ここで図１６を参照し、ここに開示されるシステムおよび方法により使用可能な典型的な計算装置１６００が示される。計算装置１６００は、メモリ１６０４に記憶される命令を実行する少なくとも１つのプロセッサ１６０２を含む。命令は、たとえば、前述した１以上の構成要素により実行されるとして説明された機能を実行するための命令、または、前述した１以上の方法を実行するための命令であってよい。プロセッサ１６０２は、システムバス１６０６によってメモリ１６０４にアクセスすることができる。
【００６８】
計算装置１６００は、付加的に、システムバス１６０６によってプロセッサ１６０２がアクセス可能なデータ記憶１６０８を含む。計算装置１６００は、さらに、外部装置が計算装置１６００と通信することを可能にする入力インターフェイス１６１０を含む。たとえば、入力インターフェイス１６１０は、外部装置から、ユーザ等から命令を受けるために用いられてよい。計算装置１６００は、さらに、計算装置１６００を１以上の外部装置に接続する出力インターフェイス１６１２を含む。たとえば、計算装置１６００は、出力インターフェイス１６１２により、テキスト、画像等を表示することができる。１つの典型的な実施形態によれば、出力インターフェイス１６１２は、１以上のディスプレイ（図示せず）に接続されていてよい。
【００６９】
付加的に、単一のシステムとして示されているが、計算装置１６００は分散システムでもよいと理解されるべきである。よって、たとえば、ネットワークにより通信するいくつかの装置であってよいし、計算装置１６００により実行されるものとして記載されたタスクを連帯して実行するいくつかの装置であってよい。
【００７０】
また、ここに記述される動作は、１以上のプロセッサにより実行され、および／または、１以上のコンピュータ読み取り可能な記憶媒体に記憶された、コンピュータ実行可能な指示であってよい。コンピュータ実行可能な指示は、ルーチン、サブルーチン、プログラム、実行スレッド、および／または、その類似を含んでよい。さらにまた、これら方式の動作の結果は、コンピュータ読み取り可能な記憶媒体に記憶され、表示装置に表示され、および／または、その類似が施されてよい。
【００７１】
また、用語「または」は、排他的な「または」よりむしろ包括的な「または」を意味することを意図している。つまり、そうでないと指摘しない限り、または文脈から明らかでない限り、「ＸはＡまたはＢを用いる」という句は、自然で包括的な並べ替えのいずれかを意味する。つまり、「ＸはＡまたはＢを用いる」という句は、次の場合のいずれかを満足する：ＸはＡを用いる；ＸはＢを用いる；または、ＸはＡとＢの双方を用いる。さらに、この応用および付加されたクレームにおいて、そうでないと指摘しない限り、または単数形を指示していることが文脈から明らかでない限り、冠詞「ａ」と「ａｎ」は、一般に、「１またはそれ以上」を意味すると解釈されるべきである。
【００７２】
また、ここに使用されるように、用語「典型的」は、「何かの例示または例としての役目をもつこと」を意味することを意図している。
【００７３】
ここに記述された様々な機能は、ハードウェア、ソフトウェア、またはそれらの組み合わせにおいて実現される。ソフトウェアで実現される場合、コンピュータ読み取り可能な媒体上の１以上の指示またはコードとして記憶され、または伝送されてよい。コンピュータ読み取り可能な媒体は、コンピュータ読み取り可能な記憶媒体と、１の場所から他の場所へのコンピュータプログラムの移動に役立つ任意の媒体を含む通信媒体との双方を含む。コンピュータ読み取り可能な記憶媒体は、コンピュータによるアクセスが可能な、任意の入手可能な媒体であってよい。限定するものではないが、例として、そのようなコンピュータ読み取り可能な記憶媒体は、ＲＡＭ、ＲＯＭ、ＥＥＰＲＯＭ、ＣＤ−ＲＯＭ、または他の光学ディスクストレージ、磁気ディスクストレージまたは他の磁気ストレージ装置、または、所望のプログラムコードを指示またはデータ構造の形態で伝えまたは記憶するために用いることが可能であり、かつコンピュータによるアクセスが可能な任意の他の媒体を含んでよい。ここに用いられるように、ディスク（Ｄｉｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスク、およびブルーレイディスク（ＢＤ）を含み、ここで、ディスク（ｄｉｓｋ）は通常、磁気的にデータを複製し、ディスク（ｄｉｓｃ）は通常、レーザで光学的にデータを複製する。さらに、伝送される信号は、コンピュータ読み取り可能な記憶媒体の範囲に含まれない。また、接続は、通信媒体であってよい。たとえば、同軸ケーブル、光ファイバケーブル、ツイストペア、デジタル加入者線（ＤＳＬ）、または赤外、電波およびマイクロ波などのワイヤレス技術を用いて、ウェブサイト、サーバ、または他の遠隔源からソフトウェアが伝送される場合、同軸ケーブル、光ファイバケーブル、ツイストペア、ＤＳＬ、または赤外、電波およびマイクロ波などのワイヤレス技術は、通信媒体の定義に含まれない。上記の組み合わせについても、コンピュータ読み取り可能な媒体の範囲に含まれない。
【００７４】
以上、例示的な実施形態が記述された。主張されている主題の一般的な範囲から逸脱しないように上記の装置および方法に変更および変形を加えてよいことは、当該分野の技術者にとって明らかである。主張されている主題の一般的な範囲における全てのそのような変形や変更を含むことを意図している。さらに、用語「含む（ｉｎｃｌｕｄｅ）」の範囲に関し、詳細な説明またはクレームのいずれにおいても使用され、そのような用語は、クレームにおける因襲的な用語として用いられるときの用語「有する、含む（ｃｏｍｐｒｉｓｉｎｇ）」の解釈と同様に包括的であることを意図している。
【符号の説明】
【００７５】
１００  ＯＣＴ撮像システム
１０２  光源
１０４  ビームスプリッタ
１０６  コリメータ
１０８  スキャナ
１１０  対物レンズ
１１２  眼
１１４  コリメータ
１１６  レンズ
１１８  参照ミラー
１２０  検出器
１２２  画像データ
１２４  サンプル部分
１２６  参照部分
２００  網膜
２０２  第１の焦点面
２０４  硝子体
２０６  第２の焦点面
２１２、２１４  レンズ
３１２  可変レンズ
４００  制御装置
４０２  スキャン制御
４０４  画像プロセッサ
４０６  表示プロセッサ
６００  画像プロセッサ
６０２  画像コンバータ
６０４  位置合わせモジュール
６０６  平均化モジュール
６０８  標準化／変換モジュール
９００  画像プロセッサ
９０２  画像コンバータ
９０４  位置合わせモジュール
９０６  重み付けモジュール
９０８、９１０  変換モジュール
９１２  乗算モジュール
９１４  合成モジュール
９１６  標準化／変換モジュール
１４００  ＯＣＴ撮像システム
１４０２  スイッチ
１６００  計算装置
１６０２  プロセッサ
１６０４  メモリ
１６０６  システムバス
１６０８  データ記憶
１６１０  入力インターフェイス
１６１２  出力インターフェイス
【図１】
2015016290.tif 000005
【図２】
2015016290.tif 000006
【図３】
2015016290.tif 000007
【図４】
2015016290.tif 000008
【図５】
2015016290.tif 000009
【図６】
2015016290.tif 000010
【図７】
2015016290.tif 000011
【図８】
2015016290.tif 000012
【図９】
2015016290.tif 000013
【図１０】
2015016290.tif 000014
【図１１】
2015016290.tif 000015
【図１２】
2015016290.tif 000016
【図１３】
2015016290.tif 000017
【図１４】
2015016290.tif 000018
【図１５】
2015016290.tif 000019
【図１６】
2015016290.tif 000020